(57)【要約】【課題】回転体の回転により演出を行わせるものにおいて、より演出効果を高めることができる演出装置を提供する。【解決手段】遊技機に配設されて所定の演出を行うための演出装置において、モータＭにて任意に回転し得るとともに、意匠面を正面に臨ませて停止可能な回転体（１３ａ〜１３ｃ）と、回転体（１３ａ〜１３ｃ）における意匠面とは反対側である背面側に位置し、当該回転体（１３ａ〜１３ｃ）に光を照射し得る発光体（１６ａ〜１６ｃ）と、回転体（１３ａ〜１３ｃ）の少なくとも一面に形成され、発光体（１６ａ〜１６ｃ）から照射された光を透過して角度によって見える模様の色を異ならせる光模様色変化部１８とを具備したものである。【選択図】図５
2015036005.tif 000002
【特許請求の範囲】
【請求項１】
遊技機に配設されて所定の演出を行うための演出装置において、
駆動手段にて任意に回転し得るとともに、意匠面を正面に臨ませて停止可能な回転体と、
該回転体における意匠面とは反対側である背面側に位置し、当該回転体に光を照射し得る発光体と、
前記回転体の少なくとも一面に形成され、前記発光体から照射された光を透過して角度によって見える模様の色を異ならせる光模様色変化部と、
を具備したことを特徴とする演出装置。
【請求項２】
前記光模様色変化部は、シート状部材から成り、前記回転体の内面に貼着されて成ることを特徴とする請求項１記載の演出装置。
【請求項３】
前記回転体の意匠面には、意匠を構成する貼着部材が貼着されたことを特徴とする請求項１又は請求項２記載の演出装置。
【請求項４】
前記回転体は、複数の面を有する断面多角形から成り、各面が意匠面を構成することを特徴とする請求項１〜３の何れか１つに記載の演出装置。
【請求項５】
複数の前記回転体が停止した状態で、それぞれの意匠面が合わさって意匠を構成することを特徴とする請求項１〜４の何れか１つに記載の演出装置。
【発明の詳細な説明】
【技術分野】
【０００１】
本発明は、遊技機に配設されて所定の演出を行うための演出装置に関するものである。
【背景技術】
【０００２】
遊技性の向上を目的として、従来より、遊技内容に応じて所定の演出を行わせる演出装置を具備したパチンコ遊技機が提案されている。かかる従来のパチンコ遊技機における演出装置は、例えば特許文献１にて開示されているように、遊技盤に形成された軸部により回転自在に支持されるとともに表示面が形成された可動表示装置を有し、その可動表示装置が回転して表示面の角度を変更可能に構成されたものが挙げられる。
【先行技術文献】
【特許文献】
【０００３】
【特許文献１】特開２０１０−２９３７３号公報
【発明の概要】
【発明が解決しようとする課題】
【０００４】
しかしながら、上記従来技術の演出装置においては、可動表示装置を回転させることで表示面を任意変更して意匠を異ならせることにより演出を行うことができるものの、長時間に亘って遊技を行う場合、単調な演出となってしまう虞があり、演出効果が不十分であるという問題があった。
【０００５】
本発明は、このような事情に鑑みてなされたもので、回転体の回転により演出を行わせるものにおいて、より演出効果を高めることができる演出装置を提供することにある。
【課題を解決するための手段】
【０００６】
請求項１記載の発明は、遊技機に配設されて所定の演出を行うための演出装置において、駆動手段にて任意に回転し得るとともに、意匠面を正面に臨ませて停止可能な回転体と、該回転体における意匠面とは反対側である背面側に位置し、当該回転体に光を照射し得る発光体と、前記回転体の少なくとも一面に形成され、前記発光体から照射された光を透過して角度によって見える模様の色を異ならせる光模様色変化部とを具備したことを特徴とする。
【０００７】
請求項２記載の発明は、請求項１記載の演出装置において、前記光模様色変化部は、シート状部材から成り、前記回転体の内面に貼着されて成ることを特徴とする。
【０００８】
請求項３記載の発明は、請求項１又は請求項２記載の演出装置において、前記回転体の意匠面には、意匠を構成する貼着部材が貼着されたことを特徴とする。
【０００９】
請求項４記載の発明は、請求項１〜３の何れか１つに記載の演出装置において、前記回転体は、複数の面を有する断面多角形から成り、各面が意匠面を構成することを特徴とする。
【００１０】
請求項５記載の発明は、請求項１〜４の何れか１つに記載の演出装置において、複数の前記回転体が停止した状態で、それぞれの意匠面が合わさって意匠を構成することを特徴とする。
【発明の効果】
【００１１】
請求項１の発明によれば、駆動手段にて任意に回転し得るとともに、意匠面を正面に臨ませて停止可能な回転体と、回転体における意匠面とは反対側である背面側に位置し、当該回転体に光を照射し得る発光体と、回転体の少なくとも一面に形成され、発光体から照射された光を透過して角度によって見える模様の色を異ならせる光模様色変化部とを具備したので、回転体が回転する過程で光模様色変化部にて光模様の色の変化による演出を行わせることができ、回転体の回転により演出を行わせるものにおいて、より演出効果を高めることができる。
【００１２】
請求項２の発明によれば、光模様色変化部は、シート状部材から成り、回転体の内面に貼着されて成るので、より簡易に光模様色変化部を回転体に形成することができ、製造コストを低減することができる。
【００１３】
請求項３の発明によれば、回転体の意匠面には、意匠を構成する貼着部材が貼着されたので、より簡易に意匠面における意匠を形成することができ、より製造コストを低減することができる。
【００１４】
請求項４の発明によれば、回転体は、複数の面を有する断面多角形から成り、各面が意匠面を構成するので、意匠面による演出効果と、発光体から照射された光による演出効果との両者を同時に発揮させることができ、演出効果をより向上させることができる。
【００１５】
請求項５の発明によれば、複数の前記回転体が停止した状態で、それぞれの意匠面が合わさって意匠を構成するので、意匠面が合わさって構成された意匠による演出効果と、発光体から照射された光による演出効果との両者を同時に発揮させることができ、演出効果をより一層向上させることができる。
【図面の簡単な説明】
【００１６】
【図１】本発明の実施形態に係る演出装置をパチンコ遊技機に適用した状態の模式図
【図２】同演出装置を示す３面図
【図３】図２中のＩＩＩ−ＩＩＩ線断面図
【図４】同演出装置を示す斜視図
【図５】同演出装置を示す分解斜視図
【図６】同演出装置における回転体と発光体との位置関係を示す模式図
【図７】同演出装置における複数の回転体の意匠面が合わさって意匠を構成した状態を示す模式図
【図８】同演出装置における複数の回転体の意匠面が合わさって意匠を構成した状態を示す模式図
【図９】同演出装置における複数の回転体の意匠面が合わさって意匠を構成した状態を示す模式図
【図１０】本発明の他の実施形態に係る演出装置における回転体の入光部を示す模式図
【発明を実施するための形態】
【００１７】
以下、本発明の実施形態について図面を参照しながら具体的に説明する。
本実施形態に係る演出装置は、パチンコ遊技機に配設されて遊技内容に応じて所定の演出を行うためのものであり、図１に示すように、パチンコ遊技機１の遊技盤４における所定位置に複数の回転体（１３ａ〜１３ｃ）を外部に臨ませて組み付けられている。かかる本実施形態に適用されるパチンコ遊技機１は、ガラス板２が取り付けられた前面枠３を有しており、かかるガラス板２を介して遊技者が遊技盤４を目視し得るように構成されている。
【００１８】
この遊技盤４には、種々役物や複数の釘或いは風車等が形成されているとともに、始動口７及び大入賞口８がそれぞれ形成されている。さらに、遊技盤４の略中央には、役物５が固定されるとともに、当該役物５内部には、液晶表示装置等から成る図柄表示手段６が配設されている。かかる図柄表示手段６は、その画面に所定の図柄や背景等を表示し得るようになっている。
【００１９】
そして、始動口７に遊技球が入賞することにより始動条件が成立したときに図柄表示手段６の図柄を変動表示させ、複数の図柄が揃って停止表示されることにより「大当たり」状態として大入賞口８を所定時間及びタイミングで開口させて多数の遊技球を獲得できるよう構成されている。また、パチンコ遊技機１の下方右隅部（下皿１０と隣接した位置）にはハンドル１１が配設されており、遊技者が該ハンドル１１を把持しつつ回動操作することにより、上皿９内の遊技球を遊技盤４へ打ち出すよう構成されている。
【００２０】
さらに、パチンコ遊技機１には、遊技内容に応じて点灯又は点滅させ得るランプやＬＥＤ或いはフラッシュ等の発光手段（不図示）が配設されるとともに、遊技内容に応じて音声や効果音等を出力可能なスピーカ（不図示）等が配設されている。しかして、発光手段による光の照射やスピーカから出力される音によって、遊技者の視覚や聴覚に及ぼす効果を十分に向上させ、演出効果を高めることができるようになっている。
【００２１】
ここで、本実施形態に係るパチンコ遊技機１の遊技盤４には、図１中、役物５の右側下部に演出装置１２が配設されている。かかる演出装置１２は、図２〜５に示すように、複数（本実施形態においては３つ）の回転体（１３ａ、１３ｂ、１３ｃ）と、ケース１４と、所定の電気回路が印刷されたプリント基板１５に搭載された発光体（１６ａ、１６ｂ、１６ｃ）と、画成部材１７と、駆動手段としてのモータＭとから主に構成されている。
【００２２】
ケース１４は、本演出装置１２の筐体を構成するもので、本体部１４ａと、左カバー部１４ｂと、右カバー部１４ｃとから主に構成されている。そして、発光体（１６ａ、１６ｂ、１６ｃ）が取り付けられたプリント基板１５、画成部材１７、複数の回転体（１３ａ、１３ｂ、１３ｃ）を本体部１４ａに組み付けた後、左カバー部１４ｂ及び右カバー部１４ｃを取り付けることによって、それぞれの部品がケース１４内に組み付けられるようになっている。
【００２３】
回転体（１３ａ、１３ｂ、１３ｃ）は、複数の面を有する断面多角形（本実施形態においては断面三角形）とされた筒状の樹脂製部材から成り、各面が意匠面を構成するものとされている。具体的には、回転体１３ａ（回転体１３ｂ、１３ｃも同様）は、図６に示すように、複数（本実施形態においては３枚）の板状の導光部α、β、γを図示の如く接合して断面三角形の中空状部品とされたもので、導光部αの外面を意匠面１３ａｂ、導光部βの外面を意匠面１３ａｃ、導光部γの外面を意匠面１３ａａとして構成されたものである。
【００２４】
導光部α、β、γは、それぞれ透明樹脂材（例えばアクリル樹脂）を板状に成形して得られた透明材から成り、例えば接着剤等による接着又は溶着等により互いに接合されて各回転体（１３ａ、１３ｂ、１３ｃ）を構成している。これら導光部α、β、γは、後述するように、それぞれの内部（肉厚内）において発光体１６ａから照射された光を導くことが可能とされており、所謂「導光体」（アクリル樹脂などの透明樹脂の内面反射を利用して、一方側から入射した光を他方側へ効率よく導く物質）として機能し得るものとされている。
【００２５】
各回転体（１３ａ、１３ｂ、１３ｃ）は、図５に示すように、中心軸に沿って長手方向に突出した軸部Ｌ１、Ｌ２及びＬ３が形成されるとともに、軸部Ｌ１、Ｌ２及びＬ３のそれぞれの所定部位には、ギアＧ１、Ｇ２及びＧ３が形成されている。そして、各回転体（１３ａ、１３ｂ、１３ｃ）がケース１４に組み付けられた状態において、それぞれの軸部Ｌ１、Ｌ２及びＬ３が本体部１４ａに形成された円弧状の凹部１４ａａに嵌合されるよう設定されており、当該軸部Ｌ１、Ｌ２及びＬ３を中心として各回転体（１３ａ、１３ｂ、１３ｃ）が回転自在とされている。
【００２６】
また、回転体（１３ａ、１３ｂ、１３ｃ）をケース１４に組み付けた状態において、隣接するギアＧ１、Ｇ２及びＧ３が互いに噛み合うよう設定されているとともに、そのうちの中央のギアＧ２（回転体１３ｂの軸部Ｌ２に形成されたギア）にモータＭの出力軸に形成されたギア（不図示）が噛み合うよう構成されている。これにより、モータＭを駆動させると、ギアＧ１、Ｇ２及びＧ３が連動して軸部Ｌ１、Ｌ２及びＬ３を回転させるので、全ての回転体（１３ａ、１３ｂ、１３ｃ）が同期しつつ同方向へ回転し得るようになっている。
【００２７】
モータＭは、ケース１４の一側面（ギアＧ１〜Ｇ３が位置する側面側）に取り付けられ、回転体（１３ａ〜１３ｃ）を任意タイミングで回転させ得るとともに、当該回転体（１３ａ〜１３ｃ）の意匠面が正面を向いた状態で停止させるものであり、位置決め精度が高いサーボモータ等を用いるのが好ましい。なお、モータＭに代えて、回転体（１３ａ〜１３ｃ）を回転させ得る他の汎用的な駆動手段としてもよい。
【００２８】
さらに、本実施形態に係る回転体（１３ａ〜１３ｃ）には、発光体（１６ａ〜１６ｃ）から照射された光を透過して角度によって見える模様の色を異ならせる光模様色変化部１８を具備している。この光模様色変化部１８は、シート状部材から成り、回転体（１３ａ〜１３ｃ）のそれぞれの内面（導光部α〜γの裏面）に貼着され、導光部α〜γを光が透過する際、角度によって模様の色が変化するものとされており、例えば光を透過させる際にその光の波長に応じた生じた光模様（干渉縞等）の色が、見る角度によって変化するものとされている。
【００２９】
またさらに、本実施形態に係る回転体（１３ａ〜１３ｃ）の意匠面（１３ａａ〜１３ａｃ）には、意匠を構成する貼着部材が貼着されており、複数の回転体（１３ａ〜１３ｃ）が停止（それぞれの意匠面が正面を向いて停止）した状態で、それぞれの意匠面が合わさって意匠を構成するようになっている。本実施形態に係る貼着部材は、図７〜９に示すように、所定形状の不透明な（光を透過しない）シート状部材から成るものとされる。なお、貼着部材は、意匠を構成するものであれば足り、例えば半透明な部材或いは表面に所定の加工が施された部材（外部の光を乱反射等させる部材）としてもよい。
【００３０】
例えば、図７に示すように、回転体１３ａの意匠面１３ａａ、回転体１３ｂの意匠面１３ｂａ、及び回転体１３ｃの意匠面１３ｃａがそれぞれ正面を向いて停止した状態において、意匠面１３ａａに貼着された貼着部材Ａａと、意匠面１３ｂａに貼着された貼着部材Ａｂと、意匠面１３ｃａに貼着された貼着部材Ａｃとが合わさって一つの意匠（星形状の意匠）が構成される。
【００３１】
また、図８に示すように、回転体１３ａの意匠面１３ａｂ、回転体１３ｂの意匠面１３ｂｂ、及び回転体１３ｃの意匠面１３ｃｂがそれぞれ正面を向いて停止した状態において、意匠面１３ａｂに貼着された貼着部材Ｂａと、意匠面１３ｂｂに貼着された貼着部材Ｂｂと、意匠面１３ｃｂに貼着された貼着部材Ｂｃとが合わさって一つの意匠（丸形状の意匠）が構成される。
【００３２】
さらに、図９に示すように、回転体１３ａの意匠面１３ａｃ、回転体１３ｂの意匠面１３ｂｃ、及び回転体１３ｃの意匠面１３ｃｃがそれぞれ正面を向いて停止した状態において、意匠面１３ａｃに貼着された貼着部材Ｃａと、意匠面１３ｂｃに貼着された貼着部材Ｃｂと、意匠面１３ｃｃに貼着された貼着部材Ｃｃとが合わさって一つの意匠（三角形状の意匠）が構成される。
【００３３】
発光体（１６ａ、１６ｂ、１６ｃ）は、プリント基板１５に印刷された配線を介して電力が供給され光を照射し得るもので、本実施形態においては、ＬＥＤから成る。このうち、発光体１６ａ（発光体１６ｂ、１６ｃも同様）は、水平方向に一列に配設された複数のＬＥＤから成り、回転体１３ａにおける意匠面（１３ａａ〜１３ａｃ）とは反対側である背面側（本実施形態においては入光部ａ〜ｃ側）に位置し、当該回転体１３ａに光を照射し得るものである。なお、発光体１６ｂは、回転体１３ｂにおける意匠面とは反対側である背面側（入光部側）に位置し、当該回転体１３ｂに光を照射し得るものであり、発光体１６ｃは、回転体１３ｃにおける意匠面とは反対側である背面側（入光部側）に位置し、当該回転体１３ｃに光を照射し得るものとされている。
【００３４】
一方、回転体１３ａ（回転体１３ｂ、１３ｃも同様）の角部には、発光体１６ａと対峙する部位に設けられ、当該発光体１６ａからの光を入光（すなわち、光を導光部α〜γ内に導入）させる入光部（ａ〜ｃ）が形成されている。すなわち、入光部（ａ〜ｃ）は、回転体１３ａの角部（導光部α〜γの端部）に位置する部位から成り、図６（ａ）で示すように、意匠面１３ａａが正面に位置するとき、入光部ａが発光体１６ａと対峙し、同図（ｂ）で示すように、意匠面１３ａｂが正面に位置するとき、入光部ｂが発光体１６ａと対峙し、同図（ｃ）で示すように、意匠面１３ａｃが正面に位置するとき、入光部ｃが発光体１６ａと対峙するよう構成されている。
【００３５】
入光部（ａ〜ｃ）は、発光体（１６ａ〜１６ｃ）からの光を隣接する２つの導光部（α〜γ）に対してそれぞれ略均等に導入させるべく、回転体（１３ａ〜１３ｃ）の角部に所定の加工を施して成るものとされており、本実施形態においては、面取り加工が施されている。しかして、入光部（ａ〜ｃ）から入光した光は、異なる２方向である隣接する２つの導光部（α〜γ）に向かって導かれ、それぞれの導光部（α〜γ）内にて反射及び屈折が繰り返されることにより導光されることとなる。
【００３６】
例えば、図６（ａ）に示すように、回転体１３ａの意匠面１３ａａが正面に位置した状態では、入光部ａが発光体１６ａと対峙するので、当該発光体１６ａから照射された光が入光部ａにて入光（導入）され、その光が隣接する導光部α及び導光部βの２方向に向かって導光されることとなる。その導光される光は、導光部α及び導光部βのそれぞれの内部において反射及び屈折を繰り返し、正面側（意匠面１３ａａ）側に至って視認されることとなる。
【００３７】
また、同図（ｂ）に示すように、回転体１３ａの意匠面１３ａｂが正面に位置した状態では、入光部ｂが発光体１６ａと対峙するので、当該発光体１６ａから照射された光が入光部ｂにて入光（導入）され、その光が隣接する導光部β及び導光部γの２方向に向かって導光されることとなる。その導光される光は、導光部β及び導光部γのそれぞれの内部において反射及び屈折を繰り返し、正面側（意匠面１３ａｂ）側に至って遊技者に視認されることとなる。
【００３８】
さらに、同図（ｃ）に示すように、回転体１３ａの意匠面１３ａｃが正面に位置した状態では、入光部ｃが発光体１６ａと対峙するので、当該発光体１６ａから照射された光が入光部ｃにて入光（導入）され、その光が隣接する導光部α及び導光部γとの２方向に向かって導光されることとなる。その導光される光は、導光部α及び導光部γのそれぞれの内部において反射及び屈折を繰り返し、正面側（意匠面１３ａｃ）側に至って遊技者に視認されることとなる。
【００３９】
一方、回転体１３ａが回転する過程（意匠面１３ａａ、１３ａｂ、１３ａｃが正面を向くまで回転する間）においては、発光体１６ａからの光は、回転体１３ａの内部を通過して正面側に至ることとなる。この場合、回転体（１３ａ〜１３ｃ）の内周面には光模様色変化部１８が形成されているので、回転体（１３ａ〜１３ｃ）が回転する過程において、発光体（１６ａ〜１６ｃ）から照射されて正面側に透過する光が角度によって見える模様の色が異なることとなり、演出効果を向上させることができる。
【００４０】
すなわち、本実施形態においては、回転体（１３ａ〜１３ｃ）が停止した状態（それぞれの意匠面が正面を向いた状態で停止）においては、導光部α〜γを導光した光による演出効果がなされるとともに、回転体（１３ａ〜１３ｃ）が回転する過程においては、光模様色変化部１８にて奏される模様色の変化による演出効果がなされるのである。したがって、発光体（１６ａ〜１６ｃ）から照射される光による演出をより効果的に発揮させて演出効果を向上させることができる。
【００４１】
画成部材１７は、プリント基板１５と回転体（１３ａ〜１３ｃ）との間に組み付けられる部品から成り、略平行に延設された一対の凸条部１７ａ、１７ｂと、これら凸条部１７ａ及び１７ｂの間で開口した開口部１７ｃとを有している。そして、ケース１４に、画成部材１７、プリント基板１５及び回転体（１３ａ〜１３ｃ）を組み付けると、図３に示すように、発光体１６ａが成す列と発光体１６ｂが成す列との間に凸条部１７ａが位置するとともに、発光体１６ｂが成す列と発光体１６ｃが成す列との間に凸条部１７ｂが位置するよう構成されている。なお、画成部材１７の開口部１７ｃには、発光体１６ｂの列が位置するよう構成されている。
【００４２】
これにより、発光体１６ａ、１６ｂ、１６ｃの列をそれぞれ凸条部１７ａ、１７ｂにて画成することができ、発光体１６ａの光を回転体１３ａ、発光体１６ｂの光を回転体１３ｂ、発光体１６ｃの光を回転体１３ｃにそれぞれ確実に照射させることができる。すなわち、凸条部１７ａ、１７ｂによって、対応する回転体と隣接する回転体へ発光体の光が漏れてしまうのを抑制することができるのである。また、本実施形態に係る発光体１６ａ〜１６ｃは、ＬＥＤから成るので、それぞれの光を互いに異ならせることができ、その場合、それぞれの色の光を各回転体１３ａ〜１３ｃに対して確実に照射させることができる。
【００４３】
本実施形態によれば、モータＭ（駆動手段）にて任意に回転し得るとともに、意匠面を正面に臨ませて停止可能な回転体（１３ａ〜１３ｃ）と、回転体（１３ａ〜１３ｃ）における意匠面とは反対側である背面側（背面側の角部）に位置し、当該回転体（１３ａ〜１３ｃ）に光を照射し得る発光体（１６ａ〜１６ｃ）と、回転体（１３ａ〜１３ｃ）の少なくとも一面に形成され、発光体（１６ａ〜１６ｃ）から照射された光を透過して角度によって見える模様の色を異ならせる光模様色変化部１８とを具備したので、回転体（１３ａ〜１３ｃ）が回転する過程で光模様色変化部１８にて光模様の色の変化による演出を行わせることができ、回転体（１３ａ〜１３ｃ）の回転により演出を行わせるものにおいて、より演出効果を高めることができる。
【００４４】
なお、本実施形態に係る光模様色変化部１８は、シート状部材から成り、回転体（１３ａ〜１３ｃ）の内面に貼着されて成るものとされているが、回転体（１３ａ〜１３ｃ）の外面（すなわち、各導光部の意匠面）に貼着されたもの、或いは回転体（１３ａ〜１３ｃ）の内面又は外面に対して直接所定の加工を施して得られるものであってもよい。また、光模様色変化部１８は、回転体（１３ａ〜１３ｃ）の少なくとも１面に形成されていれば足りる。
【００４５】
また、本実施形態に係る光模様色変化部１８は、シート状部材から成り、回転体（１３ａ〜１３ｃ）の内面に貼着されて成るので、より簡易に光模様色変化部１８を回転体（１３ａ〜１３ｃ）に形成することができ、製造コストを低減することができる。さらに、本実施形態に係る回転体（１３ａ〜１３ｃ）の意匠面には、意匠を構成する貼着部材が貼着されたので、より簡易に意匠面における意匠を形成することができ、より製造コストを低減することができる。
【００４６】
またさらに、本実施形態に係る回転体（１３ａ〜１３ｃ）は、複数の面を有する断面多角形（本実施形態においては断面三角形）から成り、各面が意匠面を構成するので、意匠面による演出効果と、発光体（１６ａ〜１６ｃ）から照射された光による演出効果との両者を同時に発揮させることができ、演出効果をより向上させることができる。さらに、本実施形態によれば、複数の回転体（１３ａ〜１３ｃ）が停止した状態で、それぞれの意匠面が合わさって意匠を構成するので、意匠面が合わさって構成された意匠による演出効果と、発光体（１６ａ〜１６ｃ）から照射された光による演出効果との両者を同時に発揮させることができ、演出効果をより一層向上させることができる。
【００４７】
加えて、本実施形態によれば、モータＭ（駆動手段）にて任意に回転し得るとともに、意匠面を正面に臨ませて停止可能な回転体（１３ａ〜１３ｃ）と、回転体（１３ａ〜１３ｃ）における意匠面とは反対側である背面側（背面側の角部）に位置し、当該回転体（１３ａ〜１３ｃ）に光を照射し得る発光体（１６ａ〜１６ｃ）と、回転体（１３ａ〜１３ｃ）における発光体（１６ａ〜１６ｃ）と対峙する部位（それぞれの回転体の角部）に設けられ、当該発光体（１６ａ〜１６ｃ）からの光を入光させる入光部（ａ〜ｃ）と、入光部（ａ〜ｃ）から入光した光を反射させながら導光させる導光部（α〜γ）とを具備したので、回転体（１３ａ〜１３ｃ）の回転により演出を行わせるものにおいて、より演出効果を高めることができる。
【００４８】
また、本実施形態に係る導光部（α〜γ）は、入光部（ａ〜ｃ）から入光した光を少なくとも異なる２方向へ導くように構成されているので、発光体（１６ａ〜１６ｃ）から照射された光による演出効果をより有効に発揮させることができる。また、本実施形態に係る導光部（α〜γ）は、複数の透明材から成り、導光部（α〜γ）内を反射及び屈折した光が当該透明材に沿って導光されるので、発光体（１６ａ〜１６ｃ）から照射された光を回転体（１３ａ〜１３ｃ）の正面側まで確実に導くことができ、演出効果をより向上させることができる。
【００４９】
さらに、本実施形態に係る入光部（ａ〜ｃ）は、回転体（１３ａ〜１３ｃ）の角部に所定の加工（面取り加工）を施して成るので、発光体（１６ａ〜１６ｃ）から照射された光を確実に入光させることができ、演出効果をより向上させることができる。なお、本実施形態においては、回転体（１３ａ〜１３ｃ）の角部に面取り加工を施すことで、隣接する導光部（α〜γ）において略均等に光を導光可能としているが、例えば図１０に示すように、回転体（１３ａ’〜１３ｃ’）の角部に切欠きを設けて入光部ａ’を形成するようにしてもよい。
【００５０】
以上、本実施形態について説明したが、本発明はこれに限定されず、回転体（１３ａ〜１３ｃ）の数は３つに限らず、例えば、単一配設されたもの、又は２つ若しくは４つ以上併設されたものとしてもよい。また、回転体（１３ａ〜１３ｃ）の形状は断面三角形の多面体に限らず、例えば断面五角形等の多面体であってもよい。さらに、本実施形態においては、回転体（１３ａ〜１３ｃ）の回転軸（Ｌ１〜Ｌ３）は、遊技盤４に対して水平方向に延設して取り付けられている、他の方向（鉛直方向や傾斜した方向等）に回転軸（Ｌ１〜Ｌ３）を延設して取り付けたものであってもよい。
【００５１】
また、本実施形態に係る回転体（１３ａ〜１３ｃ）は、入光部（ａ〜ｃ）から入光した光を反射させながら導光させる導光部（α〜γ）にて構成されているが、当該導光部（α〜γ）を有さない（すなわち、導光体としての機能を有さない）ものとしてもよい。なお、本実施形態に係る演出装置１２は、パチンコ遊技機１の遊技盤４に配設されているが、パチンコ遊技機１の他の部位に配設されたもの、或いはパチンコ遊技機１とは異なる他の遊技機に取り付けられたものであってもよい。さらに、本実施形態においては、遊技内容に応じて回転体（１３ａ〜１３ｃ）が回転して演出し得るものとされているが、遊技内容とは関係なく回転体（１３ａ〜１３ｃ）が回転して演出するものであってもよい。
【産業上の利用可能性】
【００５２】
駆動手段にて任意に回転し得るとともに、意匠面を正面に臨ませて停止可能な回転体と、回転体における意匠面とは反対側である背面側に位置し、当該回転体に光を照射し得る発光体と、回転体の少なくとも一面に形成され、発光体から照射された光を透過して角度によって見える模様の色を異ならせる光模様色変化部とを具備した演出装置であれば、外観形状が異なるもの或いは他の機能が付加されたもの等にも適用することができる。
【符号の説明】
【００５３】
１    パチンコ遊技機
２    ガラス板
３    前面枠
４    遊技盤
５    役物
６    図柄表示手段
７    始動口
８    大入賞口
９    上皿
１０  下皿
１１  ハンドル
１２  演出装置
１３ａ〜１３ｃ  回転体
１４  ケース
１５  プリント基板
１６  発光体
１７  画成部材
１８  光模様色変化部
【図１】
2015036005.tif 000003
【図２】
2015036005.tif 000004
【図３】
2015036005.tif 000005
【図４】
2015036005.tif 000006
【図５】
2015036005.tif 000007
【図６】
2015036005.tif 000008
【図７】
2015036005.tif 000009
【図８】
2015036005.tif 000010
【図９】
2015036005.tif 000011
【図１０】
2015036005.tif 000012